(57)【要約】【課題】マグネットの吸着力の調整を可能とし、ディスク状記録媒体の外径の大きさに応じたマグネットの適正な吸着力を確保する。【解決手段】シェル１内にディスク状記録媒体５が回転可能に収納されると共に吸着用のマグネット６６ｃを有しディスクドライブ装置５０に設けられたディスクテーブル６６が挿入される開口部２２がシェルに形成されたディスクカートリッジ１において、シェル内に開口部から挿入されるディスクテーブルのマグネットに吸着されるクランパー１６を設け、該クランパーがマグネットに吸着された状態でディスクテーブルの回転に伴ってディスク状記録媒体をクランパーと一体となって回転させ、クランパーにマグネットの吸着力を低下させる作用を有する作用孔１６ｈを形成した。【選択図】        図１１
2004348827.tif 000002
【特許請求の範囲】
【請求項１】
シェル内にディスク状記録媒体が回転可能に収納されると共に吸着用のマグネットを有しディスクドライブ装置に設けられたディスクテーブルが挿入される開口部がシェルに形成されたディスクカートリッジであって、
シェル内に開口部から挿入されるディスクテーブルのマグネットに吸着されるクランパーが設けられ、
該クランパーがマグネットに吸着された状態でディスクテーブルの回転に伴ってディスク状記録媒体がクランパーと一体となって回転され、
クランパーにマグネットの吸着力を低下させる作用を有する作用孔を形成した
ことを特徴とするディスクカートリッジ。
【発明の詳細な説明】
【０００１】
【発明の属する技術分野】
本発明はディスクカートリッジに関する。詳しくは、クランパーにマグネットの吸着力を低下させる作用を有する作用孔を形成し、マグネットの吸着力の調整を可能とした技術分野に関する。
【０００２】
【従来の技術】
シェル内にディスク状記録媒体が回転可能に収納されると共にシェルの一方の面（下面）にディスク状記録媒体の一部を外部に露出させる開口部が形成されたディスクカートリッジがある（例えば、特許文献１参照）。
【０００３】
このようなディスクカートリッジにあっては、ディスクドライブ装置の挿入口から挿入されると開口部が開放され、搬送機構によって開口部がディスクテーブルの上方に位置されるまで水平方向へ搬送される。続いて、搬送機構によってディスクカートリッジがディスクテーブルに対して下方へ移動され、ディスクテーブルが開口部からシェル内に挿入される。
【０００４】
ディスクテーブルには吸着用のマグネットが設けられており、ディスクテーブルが開口部からシェル内に挿入されると、シェル内に設けられた磁性材料から成るクランパーがマグネットに吸着され、ディスク状記録媒体の内周部がディスクテーブルとクランパーとによって挟持されてディスク状記録媒体がディスクテーブルに装着される。
【０００５】
ディスク状記録媒体がディスクテーブルに装着されると、ディスクテーブルの回転に伴ってディスク状記録媒体がクランパーと一体となって回転され、光ピックアップの駆動によりディスク状記録媒体に対する情報信号の記録又は再生が行われる。
【０００６】
ディスク状記録媒体に対する情報信号の記録又は再生が終了したときには、ディスクカートリッジが搬送機構によってディスクテーブルに対して上昇されてマグネットによるクランパーに対する吸着が解除され、ディスクカートリッジが水平方向に搬送されてディスクドライブ装置から取り出される。
【０００７】
【特許文献１】
特開２００１―３３２０５８号公報
【０００８】
【発明が解決しようとする課題】
ところで、上記のように、ディスクテーブルの回転に伴ってディスク状記録媒体が回転されたときには、ジャイロモーメントの発生によりディスク状記録媒体をディスクテーブルから引き剥がす方向への力が生じる。ジャイロモーメントはディスク状記録媒体の慣性モーメントに比例し、ディスク状記録媒体の外径が大きい程大きくなる。従って、ディスクドライブ装置の設計に際しては、マグネットのクランパーに対する吸着力をディスク状記録媒体の外径に応じた大きさに設定する必要がある。
【０００９】
このようにマグネットのクランパーに対する吸着力をディスク状記録媒体の外径に応じた大きさに設定する必要があるが、ディスクドライブ装置において外径の異なるディスク状記録媒体を有する複数種類のディスクカートリッジの使用が可能な場合には、大きなジャイロモーメントを発生する外径の大きなディスク状記録媒体を有するディスクカートリッジに合わせて、マグネットの吸着力を設定しなければならない。
【００１０】
例えば、直径が約１２ｃｍのディスク状記録媒体と直径が約８ｃｍのディスク状記録媒体の何れに対しても情報信号の記録又は再生が可能なディスクドライブ装置にあっては、マグネットの吸着力を直径が約１２ｃｍのディスク状記録媒体を有するディスクカートリッジに合わせて設定する必要がある。
【００１１】
ところが、マグネットの吸着力を、直径が約１２ｃｍのディスク状記録媒体を有するディスクカートリッジに合わせて設定した場合には、直径が約８ｃｍのディスク状記録媒体に対する情報信号の記録又は再生が終了しマグネットによるクランパーに対する吸着が解除されるときに、マグネットの吸着力が必要以上に大きく、ディスク状記録媒体やシェルに過大なストレスが付与されてしまう。
【００１２】
このような過大なストレスが付与されてしまうと、ディスク状記録媒体の変形や損傷という不具合を生じるおそれがあり、また、ストレスに耐え得るようにシェルの厚みを厚くして剛性を高めるような設計を強いられるおそれもある。
【００１３】
また、マグネットのクランパーに対する吸着を解除するときに動作される搬送機構にも必要以上の負荷がかかり、搬送機構の寿命の低下を引き起こすおそれもある。
【００１４】
そこで、上記のような不具合の発生を防止するために、例えば、直径が約８ｃｍのディスク状記録媒体を有するディスクカートリッジについては、直径が約１２ｃｍのディスク状記録媒体を有するディスクカートリッジに対して、マグネットに対するクランパーの距離を大きくする、クランパーの厚みを薄くする等の設計を行い、マグネットの吸着力を低下させる方法が考慮される。
【００１５】
しかしながら、マグネットに対するクランパーの距離を大きくした場合には、ディスクカートリッジ全体の厚みが厚くなってしまい、また、クランパーの厚みを薄くした場合には、クランパーの強度が低下するという不都合を生じてしまう。
【００１６】
そこで、本発明ディスクカートリッジは、上記した問題点を克服し、マグネットの吸着力の調整を可能とし、ディスク状記録媒体の外径の大きさに応じたマグネットの適正な吸着力を確保することを課題とする。
【００１７】
【課題を解決するための手段】
本発明ディスクカートリッジは、上記した課題を解決するために、シェル内に開口部から挿入されるディスクテーブルのマグネットに吸着されるクランパーを設け、該クランパーがマグネットに吸着された状態でディスクテーブルの回転に伴ってディスク状記録媒体をクランパーと一体となって回転させ、クランパーにマグネットの吸着力を低下させる作用を有する作用孔を形成したものである。
【００１８】
従って、本発明ディスクカートリッジにあっては、作用孔の大きさに応じてマグネットの吸着力が変動する。
【００１９】
【発明の実施の形態】
以下に、本発明ディスクカートリッジの実施の形態を添付図面を参照して説明する。
【００２０】
先ず、ディスクカートリッジが挿入されて使用されるディスクドライブ装置について説明する（図１乃至図７参照）。
【００２１】
ディスクドライブ装置５０は外筐５１内に所定の各部が配置されて成る（図１参照）。外筐５１の前面には横長の挿入口５１ａが形成されている。挿入口５１ａはディスクカートリッジ１が挿入される挿入部として機能する他、ディスクカートリッジ１が排出される排出部としても機能する。
【００２２】
外筐５１内には固定フレーム５２が配置され、図２に示すように、固定フレーム５２は天板部５３と該天板部５３の左右両側縁から垂設された側板部５４、５４とを有している。側板部５４、５４には前後に離隔してそれぞれ２つずつのガイド孔５５、５５、・・・が形成されている（図３参照）。ガイド孔５５は前後に延びる水平部５５ａと該水平部５５ａの一端部から下方へ延びる垂直部５５ｂとから成る。
【００２３】
側板部５４、５４の下端部にはそれぞれ駆動ギヤ５６、５６が支持され、該駆動ギヤ５６、５６は図示しない駆動モーターの駆動力によって同期して回転される。
【００２４】
側板部５４、５４にはそれぞれカムスライダー５７、５７が前後方向（図３に示すＬ１―Ｌ２方向）へスライド自在に支持されている。カムスライダー５７、５７の下端部にはそれぞれラック部５７ａ、５７ａが設けられ、該ラック部５７ａ、５７ａにそれぞれ駆動ギヤ５６、５６が噛合されている。従って、駆動ギヤ５６、５６が駆動モーターの駆動力によって回転されると、その回転方向に応じてカムスライダー５７、５７が図３に示すＬ１―Ｌ２方向へ同期してスライドされる。
【００２５】
カムスライダー５７には前後に離隔してカム孔５８、５８が形成されている。カム孔５８は上側保持部５８ａと該上側保持部５８ａに連続するカム傾斜部５８ｂと該カム傾斜部５８ｂに連続する下側保持部５８ｃとから成る。カム傾斜部５８ｂはＬ１方向へ行くに従って下方へ変位され、下側保持部５８ｃは前後に長く形成されている。
【００２６】
固定フレーム５２の内部にはディスクホルダー５９が配置されている（図２及び図３参照）。ディスクホルダー５９は、図４に示すように、上面部５９ａと該上面部５９ａの左右両側縁からそれぞれ垂設された側面部５９ｂ、５９ｂと該側面部５９ｂ、５９ｂの下縁から互いに近付く方向へ突出された受け面部５９ｃ、５９ｃとを有している。
【００２７】
側面部５９ｂ、５９ｂにはそれぞれ前後に離隔して２つずつの被ガイドピン５９ｄ、５９ｄ、・・・が設けられ、該被ガイドピン５９ｄ、５９ｄ、・・・はそれぞれ側面部５９ｂ、５９ｂから外方（側方）へ突出されている。被ガイドピン５９ｄ、５９ｄ、・・・は、図３に示すように、それぞれ固定フレーム５２のガイド孔５５、５５、・・・及びカムスライダー５７のカム孔５８、５８、・・・を挿通され、ガイド孔５５、５５、・・・及びカム孔５８、５８、・・・に摺動自在に係合されている。
【００２８】
右側の受け面部５９ｃの後端部には検出センサー６０が配置されている（図４参照）。検出センサー６０は回動可能な検出アーム６１を有し、該検出アーム６１が回動されると、ディスクカートリッジ１のディスクホルダー５９に対する挿入完了状態が検出される。
【００２９】
尚、ディスクカートリッジ１のディスクホルダー５９に対する挿入完了状態の検出を行う手段としては検出センサー６０に限られることがなく、検出センサー６０に代えて、光学式のセンサーや磁気式のセンサー等の他の検出センサーを用いることもできる。
【００３０】
ディスクホルダー５９の内部にはディスクカートリッジ１を下方へ付勢するための図示しない押さえバネが配置されている。
【００３１】
ディスクホルダー５９の一方の側面部５９ｂの内面には、ラック部材６２が前後方向へ移動自在に支持されている（図１参照）。ラック部材６２は、図５に示すように、前後方向に長く形成され、内面、即ち、側面部５９ｂに対向する側と反対側の面にラック６２ａが設けられている。ラック６２ａの前後にはそれぞれ内方へ突出された動作用突部６２ｂとロック用突部６２ｃとが設けられている。ラック部材６２は図示しない駆動機構によって前後方向へ移動される。
【００３２】
ディスクドライブ装置５０の内部にはベースユニット６３が配置されている。ベースユニット６３は配置ベース６４に所定の各部が配置されて成る（図６及び図７参照）。
【００３３】
配置ベース６４の略中央部にはスピンドルモーター６５が配置され、該スピンドルモーター６５のモーター軸６５ａにディスクテーブル６６が固定されている。ディスクテーブル６６は後述するディスク状記録媒体の内周部が載置されるテーブル部６６ａと該テーブル部６６ａの中央部に設けられたセンターリング突部６６ｂとから成る。センターリング突部６６ｂには円板状のマグネット６６ｃが埋設され、該マグネット６６ｃの上面がセンターリング突部６６ｂの上面と略同一平面に位置されている。
【００３４】
配置ベース６４には、ディスクテーブル６６を挟んだ前後にそれぞれ光ピックアップ６７、６７が移動自在に支持されている。光ピックアップ６７、６７はそれぞれ移動ベース６８、６８と該移動ベース６８、６８上に支持された２軸アクチュエーター６９、６９とを有している。移動ベース６８、６８には駆動用ラック６８ａ、６８ａが設けられている。
【００３５】
配置ベース６４にはディスクテーブル６６を挟んだ前後に、それぞれ２つずつのガイド軸７０、７０、・・・が配置されている。光ピックアップ６７、６７はそれぞれガイド軸７０、７０、・・・に案内されて前後方向へ移動される。
【００３６】
配置ベース６４、６４には複数のギヤを有する減速機構７１、７１が設けられ、該減速機構７１、７１の最後段のギヤがそれぞれ移動ベース６８、６８の駆動用ラック６８ａ、６８ａに噛合されている。従って、図示しないモーターの駆動力によって減速機構７１、７１が動作されると、モーターの回転方向に応じた方向へ駆動用ラック６８ａ、６８ａが送られ、光ピックアップ６７、６７がガイド軸７０、７０、・・・に案内されて前方又は後方へ移動される。
【００３７】
ベースユニット６３には位置決め部７２、７２と受部７３、７３が設けられている。
【００３８】
位置決め部７２、７２は配置ベース６４の前端寄りの位置から上方へ突出された軸部７２ａ、７２ａと該軸部７２ａ、７２ａの上面７２ｂ、７２ｂの中央部から上方へ突出された位置決めピン７２ｃ、７２ｃとから成る。位置決め部７２、７２は左右に離隔して位置されている。
【００３９】
受部７３、７３は配置ベース６４の後端寄りの位置から上方へ突出されており、上面が受け面７３ａ、７３ａとして形成されている。受け面７３ａ、７３ａの上下方向における位置は、位置決め部７２、７２の上面７２ｂ、７２ｂの上下方向における位置と同じにされている。受部７３、７３は左右に離隔して位置されている。
【００４０】
次に、ディスクカートリッジについて説明する（図８乃至図１１参照）。
【００４１】
ディスクカートリッジ１は扁平な形状に形成され、図８に示すように、アウターシェル２、インナーシェル３、一対のシャッター部材４、４及びディスク状記録媒体５を備えている。
【００４２】
アウターシェル２は第１のシェル６と第２のシェル７、８が上下で結合されて成る（図８及び図９参照）。
【００４３】
アウターシェル２は略四角形状に形成され、先端縁２ａ、即ち、ディスクドライブ装置５０に挿入されるときの挿入方向側の一端縁が緩やかな円弧状に形成されている。
【００４４】
アウターシェル２の右側面２ｃには、挿入方向に延びる挿入溝２ｄが形成されている（図９参照）。アウターシェル２の右側面２ｃには、先端縁２ａに寄った位置に突部挿通孔２ｅが形成され、該突部挿通孔２ｅより基端縁２ｂ側の位置にギヤ挿通孔２ｆが形成されている。突部挿通孔２ｅ及びギヤ挿通孔２ｆは挿入溝２ｄに開口されている。
【００４５】
第１のシェル６は下方に開口された浅い箱状に形成され、主面部６ａと該主面部６ａの周縁から垂設された周面部６ｂとを有している。第１のシェル６には、図８に示すように、下面の外周側の部分に下方へ突出された円形状の保持壁６ｃが設けられている。第１のシェル６には、保持壁６ｃの外周に沿って下方に開口された摺動溝６ｄが形成されている。
【００４６】
インナーシェル３は略円板状に形成された平面部９と該平面部９の外周縁に設けられたリング部１０とが一体に形成されて成り、該リング部１０は平面部９から上方へ突出されている。
【００４７】
平面部９には開口用切欠９ａが形成され、該開口用切欠９ａはリング部１０の互いに略１８０°反対側に位置する部分間に形成されている。従って、平面部９は開口用切欠９ａを挟んで第１の部分９ｂと第２の部分９ｃの２つの部分に分割されている。平面部９の第１の部分９ｂと第２の部分９ｃの下面には、それぞれ下方へ突出された支持軸９ｄ、９ｅが設けられている。
【００４８】
リング部１０の外面には、第２の部分９ｃ側の部分に、ギヤ１１が設けられている。リング部１０の外面には、ギヤ１１を挟んだ周方向における反対側の位置に、それぞれロック凹部１０ａと係合凹部１０ｂが形成されている。
【００４９】
インナーシェル３はリング部１０が第１のシェル６の摺動溝６ｄに挿入されて第１のシェル６に回転自在に支持される。
【００５０】
シャッター部材４、４はそれぞれ略半円形状を為す板状に形成され、それぞれ外周縁部が弦側部４ａ、４ａと円弧側部４ｂ、４ｂとによって構成されている。シャッター部材４、４には、それぞれ所定の方向に延びる被案内孔４ｃ、４ｃと各一端部に位置された被支持孔４ｄ、４ｄが形成されている。
【００５１】
シャッター部材４、４は、それぞれ被支持孔４ｄ、４ｄにインナーシェル３の支持軸９ｄ、９ｅが挿入され、該支持軸９ｄ、９ｅを支点としてインナーシェル３に回動自在に支持される。
【００５２】
第２のシェル７、８は、図８及び図１０に示すように、それぞれ縦長の略矩形状に形成された平板状の主面部１２、１３と、該主面部１２、１３の内側の周縁を除いた周縁から上方へ突出された周面部１４、１５とが一体に形成されて成る。第２のシェル７、８の主面部１２、１３の上面には、それぞれ案内軸１２ａ、１３ａが設けられている。右側に位置する第２のシェル８には、主面部１３の先端部に、上方へ突出されたロック支持軸１３ｂが設けられている。
【００５３】
主面部１２、１３の下面には、その基端縁２ｂ寄りの位置にそれぞれ下方に開口された位置決め穴１２ｂ、１３ｃが形成されている（図８参照）。
【００５４】
ディスク状記録媒体５は外径が、例えば、約８ｃｍとされ、アウターシェル２の第１のシェル６とインナーシェル３の平面部９との間に形成された空間内に回転可能な状態で収納される。
【００５５】
ディスク状記録媒体５の中心部にはクランパー１６が固定されている（図１１参照）。クランパー１６は磁性金属材料によって厚みが薄い略円環状に形成され、中心側から順に、コア部１６ａ、内側段差部１６ｂ、内側中間部１６ｃ、外側段差部１６ｄ、外側中間部１６ｅ、傾斜部１６ｆ及び被支持部１６ｇが設けられている。クランパー１６の厚みは、例えば、０．３ｍｍとされている。
【００５６】
コア部１６ａ、内側中間部１６ｃ、外側中間部１６ｅ及び被支持部１６ｇは何れもディスク状記録媒体５の主面に平行な円環状に形成され、被支持部１６ｇ、コア部１６ａ、内側中間部１６ｃ、外側中間部１６ｅの順に上方側に位置されている。内側段差部１６ｂは内側中間部１６ｃに近付くに従って下方へ変位するように傾斜され、外側段差部１６ｄは内側中間部１６ｃ及び外側中間部１６ｅに対して略直交するように形成され、傾斜部１６ｆは被支持部１６ｇに近付くに従って上方へ変位するように傾斜されている。
【００５７】
コア部１６ａの外径はディスク状記録媒体５の中心孔５ａと略同じ大きさに形成され、クランパー１６の中心孔はコア部５ａに形成されている。コア部５ａに形成された中心孔は作用孔１６ｈとして形成され、該作用孔１６ｈは上記ディスクテーブル６６に設けられたマグネット６６ｃのクランパー１６に対する吸着力を低下させる作用を有する。作用孔１６ｈは、直径が、例えば、６ｍｍとされている。
【００５８】
クランパー１６は外側中間部１６ｅの下面がディスク状記録媒体５の上面に、例えば、接着等によって固定されている。
【００５９】
アウターシェル２の第１のシェル６の下面には、その略中央部に支持リング１７が固定されている（図１１参照）。支持リング１７は樹脂材料によって形成され、外側から順に被固定部１７ａ、連結部１７ｂ及び支持部１７ｃが設けられている。被固定部１７ａは厚みの薄い円環状に形成され、連結部１７ｂは被固定部１７ａの内周縁から下方へ突出されている。支持部１７ｃは厚みの薄い円環状に形成され、外周縁が連結部１７ｂの下端部に連続されている。
【００６０】
支持リング１７の内径はクランパー１６の外径より稍小さく形成され、支持部１７ｃの内周側の空間が支持孔１７ｄとして形成されている。
【００６１】
支持リング１７は被固定部１７ａの上面が、例えば、溶着等により第１のシェル６の下面に固定されている。
【００６２】
支持リング１７にはディスク状記録媒体５に固定されたクランパー１６が支持されている（図１１参照）。クランパー１６は被支持部１６ｇが支持リング１７の支持部１７ｃと第１のシェル６の下面との間に挿入され、支持リング１７に対して回転可能、かつ、軸方向（上下方向）へ移動可能とされている。
【００６３】
第２のシェル８のロック支持軸１３ｂにはロック部材１８が回動可能に支持される（図１０参照）。ロック部材１８は円環状の被支持部１９と該被支持部１９から一方へ突出された作用突部２０と被支持部１９から作用突部２０の略反対方向へ突出されたロック突部２１とが一体に形成されて成る。ロック突部２１は二股状に形成され、ロック片部２１ａと弾接片部２１ｂとから成る。ロック部材１８は被支持部１９にロック支持軸１３ｂが挿入されて第２のシェル８に回動自在に支持される。
【００６４】
ロック部材１８が第２のシェル８に支持された状態においては、作用突部２０の先端部がアウターシェル２の突部挿通孔２ｅから突出され、ロック片部２１ａと弾接片部２１ｂがそれぞれインナーシェル３のリング部１０の外面と第２のシェル８の周面部１４の内面に弾接又は当接される。
【００６５】
第２のシェル７、８はそれぞれ第１のシェル６の左端側の部分及び右端側の部分に、例えば、ネジ止めにより結合される。第２のシェル７、８が第１のシェル６に結合された状態において、第２のシェル７、８間に開口が形成され、この開口がシャッター部材４、４によって開閉される開口部２２とされる。開口部２２は挿入方向に長く形成され、インナーシェル３の上記開口用切欠９ａと略同じ大きさ及び略同じ形状に形成されている。
【００６６】
第２のシェル７、８が第１のシェル６に結合された状態においては、第２のシェル７、８の主面部１２、１３に設けられた案内軸１２ａ、１３ａがそれぞれシャッター部材４、４の被案内孔４ｃ、４ｃに摺動自在に係合される。
【００６７】
以下に、ディスクカートリッジ１がディスクドライブ装置５０の挿入口５１ａから挿入されたときの動作について説明する（図１２乃至図２３参照）。
【００６８】
ディスクドライブ装置５０は、例えば、外径が異なるディスク状記録媒体を有する２種類のディスクカートリッジの使用が各別に可能とされる装置であり、例えば、外径が約８ｃｍのディスク状記録媒体５を有する小型のディスクカートリッジ１と外径が約１２ｃｍのディスク状記録媒体を有する大型のディスクカートリッジとの使用が可能とされている。小型のディスクカートリッジ１は大型のディスクカートリッジより外形が小さいため、小型のディスクカートリッジ１は、例えば、外形及び形状が大型のディスクカートリッジと同じに形成された図示しないアダプターに装着された状態で挿入口５１ａから挿入される。
【００６９】
尚、以下の説明にあっては、アダプターと該アダプターに装着されたディスクカートリッジ１の全体をディスクカートリッジ１であるとして説明する。従って、実際には、挿入口５１ａからアダプターに装着されたディスクカートリッジ１が挿入されるが、ディスクカートリッジ１が挿入口５１ａから挿入されたとして、以下の説明を行う。
【００７０】
大型のディスクカートリッジと小型のディスクカートリッジ１にあっては、上記のように、小型のディスクカートリッジ１のクランパー１６に作用孔１６ｄが形成されており、大型のディスクカートリッジのクランパーには作用孔が形成されていないことを除き、各部の構成は同様とされている。
【００７１】
先ず、挿入口５１ａに挿入される前のディスクカートリッジ１の状態について説明する（図１２参照）。
【００７２】
インナーシェル３はリング部１０のロック凹部１０ａにロック部材１８のロック片部２１ａが係合されている。従って、インナーシェル３は開口用切欠９ａが開口部２２に対して所定の角度傾斜された初期位置においてロックされ、アウターシェル２に対する回転が規制されている。
【００７３】
シャッター部材４、４は被案内孔４ｃ、４ｃの一端部、即ち、円弧側部４ｂ、４ｂ側の端部にそれぞれ第２のシェル７、８の案内軸１２ａ、１３ａが係合されている。従って、シャッター部材４、４の弦側部４ａ、４ａが重ね合わされ、閉塞位置に保持されている。
【００７４】
アウターシェル２の開口部２２はシャッター部材４、４が閉塞位置にあるため、閉塞されている。
【００７５】
クランパー１６は、図１１に示すように、被支持部１６ｇが支持リング１７の支持部１７ｃ上に載置され、ディスク状記録媒体５はインナーシェル３の平面部９上に載置されている。
【００７６】
ディスクカートリッジ１がディスクドライブ装置５０の挿入口５１ａから内部に挿入されていくと、ディスクカートリッジ１はディスクホルダー５９の側面部５９ｂ、５９ｂに沿って移動される（図１３参照）。
【００７７】
ディスクカートリッジ１が側面部５９ｂ、５９ｂに沿って移動されると、ディスクカートリッジ１の先端縁２ａによって検出センサー６０の検出アーム６１が押圧されて回動され（図１３参照）、検出センサー６０によってディスクカートリッジ１がディスクホルダー５９に保持される保持位置まで挿入されたことが検出される。検出センサー６０によってディスクカートリッジ１が保持位置まで挿入されたことが検出されると、駆動モーターの回転が開始される。駆動モーターが回転されると、駆動ギヤ５６、５６の回転によりカムスライダー５７、５７が図１４に示すＬ１方向へスライドされる。
【００７８】
カムスライダー５７、５７がＬ１方向へスライドされると、被ガイドピン５９ｄ、５９ｄ、・・・が固定フレーム５２のガイド孔５５、５５、・・・の水平部５５ａ、５５ａ、・・・内をＬ１方向へ移動され、ディスクカートリッジ１を保持したディスクホルダー５９がＬ１方向へ移動される。
【００７９】
被ガイドピン５９ｄ、５９ｄ、・・・が水平部５５ａ、５５ａ、・・・の後端部に達することによりディスクホルダー５９は引込位置に至り（図１５参照）、駆動ギヤ５６、５６の回転が一旦停止される。ディスクホルダー５９が引込位置に至ると、ディスクカートリッジ１の全体がディスクドライブ装置５０内に挿入される。
【００８０】
続いて、ラック部材６２の図１５に示すＬ２方向への移動が開始される。ラック部材６２がＬ２方向へ移動されると、ディスクカートリッジ１のアウターシェル２の挿入溝２ｄに動作用突部６２ｂ及びラック６２ａが順に挿入されていく（図１６参照）。
【００８１】
ラック部材６２がＬ２方向へ移動され動作用突部６２ｂ及びラック６２ａが挿入溝２ｄに挿入されると、図１７に示すように、ラック６２ａによってロック部材１８の作用突部２０がアウターシェル２の内側へ押し込まれると共に動作用突部６２ｂがインナーシェル３の係合凹部１０ｂに挿入されて係合される。
【００８２】
ラック６２ａによって作用突部２０がアウターシェル２の内側へ押し込まれると、ロック部材１８が図１７に示すＳ１方向へ回動され、ロック片部２１ａがロック凹部１０ａから離隔されロック部材１８によるインナーシェル３に対するロックが解除される。
【００８３】
引き続きラック部材６２がＬ２方向へ移動されていくと、動作用突部６２ｂの移動に伴ってインナーシェル３が図１７に示すＲ１方向へ回転され、ラック６２ａがインナーシェル３のギヤ１１に噛合される（図１８参照）。このときインナーシェル３の回転に伴ってシャッター部材４、４がＲ１方向へ回転される。
【００８４】
さらにラック部材６２がＬ２方向へ移動されていくと、動作用突部６２ｂの係合凹部１０ｂへの係合が解除されるが、ラック６２ａがギヤ１１と噛合されているため、ラック部材６２の移動に伴ってインナーシェル３がさらにＲ１方向へ回転される。このときシャッター部材４、４の被案内孔４ｃ、４ｃ内を案内軸１２ａ、１３ａが相対的に移動され、シャッター部材４、４がインナーシェル３に対して回動されていく。従って、シャッター部材４、４は弦側部４ａ、４ａが互いに離隔されていく。
【００８５】
引き続きラック部材６２がＬ２方向へ移動されると、ロック用突部６２ｃがインナーシェル３のロック凹部１０ａに係合され、ラック部材６２のＬ２方向への移動が停止される（図１９参照）。ラック部材６２のＬ２方向への移動が停止された状態においては、インナーシェル３は停止位置に至り、開口用切欠９ａが開口部２２に一致されている。このとき第２のシェル７、８の案内軸１２ａ、１３ａは被案内孔４ｃ、４ｃの弦側部４ａ、４ａ側の端部に係合されており、シャッター部材４、４は全体がそれぞれインナーシェル３の第１の部分９ｂと第２のシェル７との間及びインナーシェル３の第２の部分９ｃと第２のシェル８との間に位置され、開口部２２の全体が開放されディスク状記録媒体５の一部が露出される。
【００８６】
ラック部材６２のＬ２方向への移動が停止され開口部２２の全体が開放されると、再度、駆動ギヤ５６、５６の回転が開始される。駆動ギヤ５６、５６が回転されると、再びカムスライダー５７、５７が図１５に示すＬ１方向へスライドされる。
【００８７】
カムスライダー５７、５７がＬ１方向へスライドされると、被ガイドピン５９ｄ、５９ｄ、・・・が固定フレーム５２のガイド孔５５、５５、・・・の垂直部５５ｂ、５５ｂ、・・・内及びカムスライダー５７、５７のカム孔５８、５８、・・・のカム傾斜部５８ｂ、５８ｂ、・・・内を移動され、ディスクカートリッジ１を保持したディスクホルダー５９がラック部材６２と一体となって図１５に示すＨ１方向（下方）へ移動される（図２０参照）。
【００８８】
引き続きカムスライダー５７、５７がＬ１方向へスライドされて被ガイドピン５９ｄ、５９ｄ、・・・が水平部５５ａ、５５ａ、・・・の下端部及びカム孔５８、５８、・・・の下側保持部５８ｃ、５８ｃ、・・・に達することによりディスクホルダー５９は装着位置に至り（図２１参照）、駆動モーターの回転が停止される。ディスクホルダー５９が装着位置に至るときには、アウターシェル２の開口部２２からディスクテーブル６６が挿入され（図２２参照）、センターリング突部６６ｂがディスク状記録媒体５の中心孔５ａに挿入される（図２３参照）。
【００８９】
このときベースユニット６３に設けられた位置決め部７２、７２の位置決めピン７２ｃ、７２ｃが、それぞれディスクカートリッジ１の位置決め穴１２ｂ、１３ｃに挿入される。
【００９０】
ディスクホルダー５９が装着位置に至った状態においては、ディスクホルダー５９の内部に設けられた押さえバネによってディスクカートリッジ１が下方へ付勢されており、ディスクカートリッジ１の下面がそれぞれ位置決め部７２、７２の軸部７２ａ、７２ａの上面７２ｂ、７２ｂ及び受部７３、７３の受け面７３ａ、７３ａに押し付けられる。また、開口部２２に対応して光ピックアップ６７、６７が位置される（図２２参照）。
【００９１】
位置決めピン７２ｃ、７２ｃがそれぞれ位置決め穴１２ｂ、１３ｃに挿入されることにより、前後方向及び左右方向におけるディスクカートリッジ１の位置決めが行われ、ディスクカートリッジ１の下面が上面７２ｂ、７２ｂ及び受け面７３ａ、７３ａに押し付けられることにより、高さ方向（上下方向）におけるディスクカートリッジ１の位置決めが行われる。
【００９２】
センターリング突部６６ｂがディスク状記録媒体５の中心孔５ａに挿入されると、センターリング突部６６ｂに設けられたマグネット６６ｃによってディスク状記録媒体５に固定されたクランパー１６が吸着される。ディスク状記録媒体５は内周部がディスクテーブル６６のテーブル部６６ａとクランパー１６とによって挟持された状態とされる（図２３参照）。このとき、クランパー１６のコア部１６ａの下面とディスクテーブル６６のセンターリング突部６６ｂの上面との間の間隔は、例えば、０．３ｍｍとされている。
【００９３】
マグネット６６ｃのクランパー１６に対する吸着力は、該クランパー１６に作用孔１６ｈが形成されているため、作用孔が形成されていない場合に比し低下する。
【００９４】
クランパー１６は被支持部１６ｇが支持リング１７の支持部１７ｃから稍上方へ離隔され、ディスク状記録媒体５はインナーシェル３の平面部９から稍上方へ離隔される（図２３参照）。従って、ディスク状記録媒体５は負荷がない状態で回転可能とされる。
【００９５】
ディスク状記録媒体５がディスクテーブル６６に装着されると、該ディスクテーブル６６の回転に伴ってディスク状記録媒体５がクランパー１６と一体となって回転されると共に光ピックアップ６７、６７の駆動によってディスク状記録媒体５に対する情報信号の記録又は再生が行われる。尚、光ピックアップ６７、６７は、使用者の要求に応じて一方又は双方が駆動されるが、双方の光ピックアップ６７、６７の駆動により転送レートの向上や編集作業等における作業性の向上を図ることができる。
【００９６】
情報信号の記録又は再生が終了すると、駆動モーターが先程とは反対方向へ回転され、上記とは逆の動作によりディスクカートリッジ１がイジェクトされる。即ち、先ず、カムスライダー５７、５７がＬ２方向へ移動されてディスクカートリッジ１を保持したディスクホルダー５９がラック部材６２と一体となってＨ２方向（上方）へ移動されてマグネット６６ｃによるクランパー１６に対する吸着が解除され、次に、ラック部材６２がＬ１方向へ移動されてインナーシェル３がＲ２方向へ回転されてシャッター部材４、４によって開口部２２が閉塞され、次いで、再びカムスライダー５７、５７がＬ２方向へ移動されてディスクカートリッジ１を保持したディスクホルダー５９がＬ２方向へ移動される。このときディスクカートリッジ１はディスクドライブ装置５０に設けられた図示しない一対のイジェクトレバーによって先端縁２ａ側の面を押圧され、挿入口５１ａから基端縁２ｂ側の一部が突出される。使用者は挿入口５１ａから突出された一部を把持して引き抜くことによりディスクカートリッジ１をディスクドライブ装置５０から取り出すことができる。
【００９７】
上記したように、ディスクドライブ装置５０にあっては、例えば、直径が約１２ｃｍのディスク状記録媒体を有する大型のディスクカートリッジの使用が可能であるが、大型のディスクカートリッジのクランパーには作用孔が形成されていないため、ディスク状記録媒体がディスクテーブル６６に装着された状態においては、直径が約８ｃｍのディスク状記録媒体５がディスクテーブル６６に装着された場合に比し、マグネット６６ｃのクランパーに対する吸着力が大きい。
【００９８】
以上に記載した通り、ディスクカートリッジ１にあっては、ディスク状記録媒体５に固定されたクランパー１６にマグネット６６ｃの吸着力を低下させる作用を有する作用孔１６ｈが形成されているため、クランパーに作用孔が形成されていない場合に比しマグネット６６ｃの吸着力が低下し、ディスク状記録媒体５のディスクテーブル６６からの装着が解除されるときに、ディスク状記録媒体５やアウターシェル２、インナーシェル３等の各部に過大なストレスが付与されない。
【００９９】
従って、ディスク状記録媒体５の変形や損傷という不具合を防止することができ、また、過大なストレスに耐え得るようにアウターシェル２、インナーシェル３等の各部の厚みを厚くする必要がない。
【０１００】
また、マグネット６６ｃのクランパー１６に対する吸着を解除するために動作されるディスクドライブ装置５０の各機構にも必要以上の負荷がかからず、これらの各機構の寿命の低下を防止することができる。
【０１０１】
図２４は、作用孔の有無によるクランパーに対する吸着力の相違を測定した結果を示す図表である。測定値は、ディスク状記録媒体のディスクテーブルからの装着を解除するときに必要な力を示すものである。
【０１０２】
各回とも同じ大きさ、材質のマグネット及びクランパーを用いて測定している。測定は作用孔を有するクランパーと作用孔を有しないクランパーについて各５回行い、クランパーのコア部の下面とディスクテーブルのセンターリング突部の上面との間の間隔を、クランパーの厚みと同じにしたときの測定結果である。作用孔の直径は６ｍｍである。
【０１０３】
図２４に示すように、作用孔を有さないクランパーについての測定値は平均７．９９Ｎであったのに対し、作用孔を有するクランパーについての測定値は平均５．６４Ｎであり、作用孔を有するクランパーを用いたときにはマグネットの吸着力が約３０％低下した。
【０１０４】
以下に、マグネットの吸着力と作用孔の大きさとの関係等を計算式によって算出する例について説明する。
【０１０５】
マグネットのクランパーに対する吸着力Ｆは以下の計算式によって近似される。
【０１０６】
Ｆ＝α＋Ｈ×（Ｒ＾２―ｒ＾２）／Ｒ＾２
αは周囲から回り込む磁束による吸着力の成分であり、クランパーの面積とは無関係な定数である。Ｈはマグネットと同じ面積のクランパーで得られる吸着力であり、トータルの吸着力のうち面積に比例する成分である。Ｒはクランパーの半径、ｒは作用孔の半径である。
【０１０７】
例えば、半径５ｍｍのマグネットを用いたときに、図２４に示した測定結果を用いてα、Ｈを算出すると、α＝１．４６Ｎ、Ｈ＝６．５３Ｎであった。直径が約８ｃｍのディスク状記録媒体に必要な力をＦ＝５Ｎとすると、この算出結果に基づき上式からｒは約３．４ｍｍと算出される。
【０１０８】
また、マグネットの厚みやバックヨークの厚みを増やして吸着力を高めたときに、例えば、半径５ｍｍのマグネットを用いα＝１．７５Ｎ、Ｈ＝７．８４Ｎとなった場合には、直径が約８ｃｍのディスク状記録媒体に必要な力をＦ＝５Ｎとすると、上式からｒは約３．８ｍｍと算出される。
【０１０９】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【０１１０】
【発明の効果】
以上に記載したところから明らかなように、本発明ディスクカートリッジは、シェル内にディスク状記録媒体が回転可能に収納されると共に吸着用のマグネットを有しディスクドライブ装置に設けられたディスクテーブルが挿入される開口部がシェルに形成されたディスクカートリッジであって、シェル内に開口部から挿入されるディスクテーブルのマグネットに吸着されるクランパーが設けられ、該クランパーがマグネットに吸着された状態でディスクテーブルの回転に伴ってディスク状記録媒体がクランパーと一体となって回転され、クランパーにマグネットの吸着力を低下させる作用を有する作用孔を形成したことを特徴とする。
【０１１１】
従って、クランパーに作用孔が形成されていない場合に比しマグネットの吸着力が低下し、ディスク状記録媒体のディスクテーブルからの装着が解除されるときに、ディスク状記録媒体やシェル等の各部に過大なストレスが付与されず、ディスク状記録媒体の変形や損傷という不具合を防止することができ、また、過大なストレスに耐え得るようにシェル等の各部の厚みを厚くする必要がない。
【０１１２】
また、マグネットのクランパーに対する吸着を解除するために動作されるディスクドライブ装置の各機構にも必要以上の負荷がかからず、これらの各機構の寿命の低下を防止することができる。
【図面の簡単な説明】
【図１】図２乃至図２４と共に本発明の実施の形態を示すものであり、本図はディスクカートリッジとディスクドライブ装置を示す概略斜視図である。
【図２】ディスクカートリッジとディスクホルダーを示す概略斜視図である。
【図３】固定フレームとカムスライダーとラック部材とを示す概略側面図である。
【図４】ディスクホルダーを一部を切り欠いて示す斜視図である。
【図５】ラック部材を示す拡大平面図である。
【図６】ベースユニットを示す概略平面図である。
【図７】ベースユニットを示す概略側面図である。
【図８】ディスクカートリッジの分解斜視図である。
【図９】ディスクカートリッジの斜視図である。
【図１０】第２のシェルの平面図である。
【図１１】要部の拡大断面図である。
【図１２】図１３乃至図２３と共にディスクカートリッジがディスクドライブ装置の挿入口に挿入されるときの動作を示すものであり、本図はディスクカートリッジが挿入口に挿入される前の状態を示す概略平面図である。
【図１３】ディスクカートリッジが挿入口に挿入され、第１の位置決め部と第３の位置決め部に位置決めピンが挿入された状態を一部を切り欠いて示す平面図である。
【図１４】ディスクカートリッジが挿入口から保持位置まで挿入された状態を示す概略側面図である。
【図１５】図１４に引き続き、ディスクホルダーが水平方向へ移動された状態を示す概略側面図である。
【図１６】図１５に引き続き、ラック部材の移動が開始された直後の状態を一部を断面にして示す概略平面図である。
【図１７】図１６に引き続き、ラック部材が移動されロック部材によるインナーシェルに対するロックが解除された状態を一部を断面にして示す概略平面図である。
【図１８】図１７に引き続き、ラック部材が移動されインナーシェルが回転されている状態を一部を断面にして示す概略平面図である。
【図１９】図１８に引き続き、ラック部材が移動され開口部が開放された状態を一部を断面にして示す概略平面図である。
【図２０】ディスクホルダーが下降されている状態を示す概略側面図である。
【図２１】ディスクホルダーが下降され装着位置まで移動された状態を示す概略側面図である。
【図２２】ディスク状記録媒体がディスクテーブルに装着された状態を示す概略側面図である。
【図２３】ディスク状記録媒体がディスクテーブルに装着された状態を示す要部の拡大断面図である。
【図２４】作用孔の有無によるクランパーに対する吸着力の相違を測定した結果を示す図表である。
【符号の説明】
５０…ディスクドライブ装置、６６…ディスクテーブル、６６ｃ…マグネット、１…ディスクカートリッジ、２…アウターシェル（シェル）、５…ディスク状記録媒体、１６…クランパー、１６ｈ…作用孔、２２…開口部
【図１】
2004348827.tif 000003
【図２】
2004348827.tif 000004
【図３】
2004348827.tif 000005
【図４】
2004348827.tif 000006
【図５】
2004348827.tif 000007
【図６】
2004348827.tif 000008
【図７】
2004348827.tif 000009
【図８】
2004348827.tif 000010
【図９】
2004348827.tif 000011
【図１０】
2004348827.tif 000012
【図１１】
2004348827.tif 000013
【図１２】
2004348827.tif 000014
【図１３】
2004348827.tif 000015
【図１４】
2004348827.tif 000016
【図１５】
2004348827.tif 000017
【図１６】
2004348827.tif 000018
【図１７】
2004348827.tif 000019
【図１８】
2004348827.tif 000020
【図１９】
2004348827.tif 000021
【図２０】
2004348827.tif 000022
【図２１】
2004348827.tif 000023
【図２２】
2004348827.tif 000024
【図２３】
2004348827.tif 000025
【図２４】
2004348827.tif 000026